Podtech/llm-jp-corpus-v4-ja_patent huggingface dataset:
(57)【要約】      （修正有）【課題】携帯電話機を使用する際、素早く、電話をかける、受けることができ、また、主表示部が保護されるスロット式携帯電話機を提供する。【解決手段】操作部２を有するユニットＢに、主表示部１の副次的な役割をする副表示部３を付随させ、常時、操作部２および副表示部３が露出する仕様とする。ユニットＢに、収納スペース９を作製し、ユニットＢの内部に、主表示部１を有するユニットＡを収納する。【選択図】図２
2008072681.tif 000002
【特許請求の範囲】
【請求項１】
図２参照。
本発明は、
（１）各種操作を行うための操作部２を有する部分（本発明においては、ユニットＢと呼称する）に、文字、英数字、記号、画像等、様々な映像を表示するための主表示部１の副次的な役割をする副表示部３を付随し、
（２）前記、ユニットＢに、空洞（本発明においては、収納スペース９と呼称する）を有し、
（３）主表示部１を有する部分（本発明においては、ユニットＡと呼称する）が、前記、ユニットＢの内部に収納される、
という、以上、（１）（２）（３）のすべての特徴を有する携帯電話機である。
【発明の詳細な説明】
【技術分野】
【０００１】本発明は、従来の携帯電話機（図１参照）と比較すると、
（１）より素早く、電話をかける、受けることを可能とし、
（２）文字、英数字、記号、画像等、様々な映像を表示するための主表示部１の、より堅固な保護を可能とする、
という、以上、（１）および（２）の特徴を有する携帯電話機である。
【背景技術】
【０００２】従来の携帯電話機（図１参照）において、
（１）ワン・アクション（開閉式携帯電話機におけるオープン、スライド式携帯電話機におけるスライドという動作）をすることなく、携帯電話機を手に取った状態のままで、電話をかける、受けることができ、
（２）且つ、未使用時に、主表示部１が保護されている、
という、以上、（１）および（２）の条件を満たす携帯電話機はない。
【発明の開示】
【発明が解決しようとする課題】
【０００３】従来の携帯電話機（図１参照）は、下記の問題がある。
（１）主表示部１および主表示部１の副次的な役割をする副表示部３を有する部分と各種操作を行うための操作部２を有する部分が、チョウツガイ４により結合され、開閉可動する開閉式携帯電話機は、未使用時に、主表示部１および操作部２が保護されている一方、使用の際、主表示部１および操作部２を露出させる必要がある。そのため、素早く、電話をかける、受けることができない。
（２）操作部２の一部および主表示部１を有する部分が上段、操作部２の一部を有する部分が下段にあり、上段部分が平行可動するスライド式携帯電話機は、
▲１▼未使用時に、操作部２の一部が収納されているため、使用の際、操作部２の一部を露出させる必要があり、素早く、電話をかける、受けることができない。
▲２▼また、主表示部１が、常時、露出し、保護されておらず、損傷を受けやすい。
（３）主表示部１および操作部２の非分離型携帯電話機は、主表示部１および操作部２が、常時、露出しているため、使用の際、少なくとも、操作部２を露出させることなく、素早く、電話をかける、受けることができるが、主表示部１および操作部２が保護されていないため、損傷を受けた際、開閉式携帯電話機、スライド式携帯電話機よりも、必然的に損傷の度合いが大きくなる。
【課題を解決するための手段】
【０００４】（１）常時、操作部２および副表示部３が露出する仕様とする。
（２）主表示部１を有するユニットＡが、ユニットＢに包み込まれ、保護される仕様、つまり、ユニットＡが、ユニットＢの内部に収納される仕様とする。
【発明の効果】
【０００５】図２参照。
（１）本発明は、
▲１▼操作部２および副表示部３が、常時、露出しているため、電話をかける場合において、カバンやポケットから携帯電話機を取り出し、手に取った状態のままで、相手の電話番号を確認しながら、ダイヤルプッシュでき、
▲２▼電話を受ける場合においても、手に取った状態で、発信元の電話番号を確認のうえ、電話に出ることができるため、
従来の携帯電話機と比較すると、より素早く、電話をかける、受けることができる。
（２）本発明は、
▲１▼メール、ウェブを利用する際の主表示部１が必要な場合以外は、主表示部１を露出させる必要がないため、主表示部１と外部との接触頻度が減少し、
▲２▼さらに、ユニットＡが、ユニットＢの内部に収納されることにより、ユニットＡの全周囲６面のうち、５面が保護される。つまり、ユニットＢが、ユニットＡのケース（鞘または甲殻）の役割となるため、
従来の携帯電話機と比較すると、主表示部１が、より堅固に保護される。
【実施例１】
【０００６】下記、（１）〜（６）は、図２参照。（７）は、図３参照。（８）（９）は、図４参照。
（１）ユニットＢに、副表示部３を付随させる。
（２）ユニットＢに、ユニットＡを収納するための空洞を作製する。この空洞を本発明においては、収納スペース９と呼称する。
（３）収納スペース９の側壁の左右両側に、ジョイント・パーツ７を各々、設置する。
但し、ジョイント・パーツ７は、収納スペース９の側壁からの露出部分を各々、作製する。尚、ジョイント・パーツ７の露出部分の各々は、球状に作製する。
（４）ユニットＡの側面の左右両側に、溝を各々、作製する。この溝を本発明においては、レーン６と呼称する。
（５）ユニットＡの側面の左右両側に、凸状のパーツを各々、設置する。この凸状のパーツを本発明においては、スロット・ガイド５と呼称する。
（６）また、ユニットＢの側面の左右両側に、スロット・ガイド５の凸部分を逃がすための切り込みを各々、作製する。この切り込みを本発明においては、スリット８と呼称する。
（７）レーン６に、ジョイント・パーツ７の露出部分（球状）をはめ合わせる。
（８）レーン６とジョイント・パーツ７の露出部分（球状）とのはめ合わせにより、ユニットＡとユニットＢとが結合され、且つ、レーン６の既定距離の範囲内で、ユニットＡが平行可動となる。また、ジョイント・パーツ７の露出部分を球状に作製したことで、可動時の円滑性が向上する。
（９）以上、（１）〜（８）により、
メールやウェブを利用する際の主表示部１が必要となる場合、ユニットＡに設置された左右スロット・ガイド５を手で持ちながら、引き出すことで、ユニットＢからユニットＡをスロット・アウト（取り出し）させることが可能となり、また、ユニットＡを手で押し込むことで、ユニットＢへユニットＡをスロット・イン（収納）させることが可能となる。
【図面の簡単な説明】
【０００７】
【図１】従来の携帯電話機の斜視図である。
【図２】本発明の未結合状態の斜視図である。
【図３】図２の結合状態の拡大斜視図（但し、主表示部１、操作部２、副表示部３は、省略）である。
【図４】本発明の使用状態の正面図である。
【符号の説明】
【０００８】１  主表示部
２  操作部
３  副表示部
４  チョウツガイ
５  スロット・ガイド
６  レーン
７  ジョイント・パーツ
８  スリット
９  収納スペース
Ａ，Ｂ  ユニット
【図１】
2008072681.tif 000003
【図２】
2008072681.tif 000004
【図３】
2008072681.tif 000005
【図４】
2008072681.tif 000006
(57)【要約】      （修正有）【課題】静止画・動画の両撮影機能をもつデジタルカメラ等が普及しているが、それらの機種の両撮影機能に対応させ、静止画のプリント保持、動画再生を同一機器で同時に行えるようにした両面写真立て付き動画再生装置を提供する。また、両面写真立てを動画再生装置の前面及び後面に折りたたむことで、従来の写真立て単体として及び従来の動画再生装置単体としての使用を、状況に応じてフレキシブルに選択できる機器を提供する。写真立て単体として使用する場合は同時に動画再生装置の保護カバーとしても機能し、横置きも縦置きも可能にする。【解決手段】動画再生装置１の側面に、両面写真立て２を、動画再生装置１の前面及び後面の両方に折りたためるように機械的に連結させ、なおかつ横置き・縦置き共に可能な構造をもつようにする。これによって、撮影側の静止画・動画兼用機器に対応する鑑賞側の静止画・動画兼用機器を提供できる。【選択図】図１
2008072678.tif 000002
【特許請求の範囲】
【請求項１】
動画再生装置（１）の側面に、両面が写真立てとなっている写真立て（２）を、動画再生装置（１）の前面及び後面に折りたためるように機械的に連結させた、両面写真立て付き動画再生装置。
【発明の詳細な説明】
【技術分野】
【０００１】  この発明は、動画再生装置の側面に両面写真立てを取り付け、動画再生装置の前面及び後面に折りたためるようにした、両面写真立て付き動画再生装置に関するものである。
【背景技術】
【０００２】  従来、静止画の写真プリントを保持する写真立てと、動画再生装置は別々になっていた。
【発明の開示】
【発明が解決しようとする課題】
【０００３】  これは次のような問題点があった。
デジタルカメラや携帯電話においては静止画撮影機能と動画撮影機能を兼ね備えた機種が普及しているが、それら２つの撮影機能に対応し、静止画の写真プリントと動画を同一機器で同時に見ることができる表示・再生装置は存在しなかった。
そのため、同一撮影機器によって同じ場所や同じ状況下で撮影した静止画の写真プリントと動画の両方を、同時に鑑賞したいという要求には対応できなかった。
なおかつ、静止画の写真プリントの保持及び動画再生のうち一方のみの機能を任意に選択できるフレキシビリティに富む機器は存在しなかった。
また、動画再生装置は、何らかの電源で作動するため電源を切った状態では、ただ場所を占めているだけの物体と化していた。
さらに、技術的には手軽に動画を撮影できるチャンスが多いのに対して、それを人間が見るという行為になると、後者は時間に制約されるため見ことができるチャンスが圧倒的に少なくなるという原理的な不均衡があった。したがって、多くの撮影された動画データが再生の日の目を見ずに埋もれてしまっていた。
本発明は、以上のような問題・制約を解消するためになされたものである。
【課題を解決するための手段】
【０００４】  動画再生装置（１）の側面に、両面が写真立てとなっている両面写真立て（２）を、動画再生装置（１）の前面及び後面に折りたためるように機械的に連結させる。
本発明は、以上の構成よりなる両面写真立て付き動画再生装置である。
【発明の効果】
【０００５】  本発明を使用するときは、静止画撮影、動画撮影の両機能をもつデジタルカメラや携帯電話で、手軽に撮影した静止画と動画の両データを、静止画はプリントとしてまた動画データは動画再生として共に一つの機器で同時に鑑賞できる。
動画再生装置の不使用時は、前面に両面写真立てを折りたたむことで、動画再生装置の画面の保護カバーの役目を果たしながらそのまま従来の写真立て単体として使用できるため、使用していない状態の動画再生装置に対する無駄感が解消できる。逆に、両面写真立てを動画再生装置の後面に折りたためば従来の動画再生装置単体として使用できる。このように、用途をフレキシブルに選択できる。
従来、動画再生装置は、時間的に連続して動画を見ることを前提としていたが、必ずしも見続けることを前提としていない写真プリントの写真立てと一体化することで、ユーザーに動画の再生においても同じように見続ける必要のないものとしての使用法を喚起させ、なおかつ従来の写真立てのように複数の設置を促し、原理的に制約されていた動画再生のチャンスを拡大させる効果が期待できる。
【発明の実施をするための最良の形態】
【０００６】  以下、本発明を最良の形態について説明する。
ディスプレイが、写真プリントのＬ判サイズに準じた動画再生装置（１）の側面に、動画再生装置（１）と同じ外形サイズで、同じくＬ判プリント対応の両面が写真立てになっている写真立て（２）を、動画再生装置（１）の前面及び後面に折りたためるように機械的に連結させる。
本発明は、以上の基本構造をもっており、両面写真立ては２枚の静止画の写真プリントを互いに背中合わせにした状態で保持し、動画再生装置と見開きの状態で、動画と写真プリントを同時に鑑賞できる。
両面写真立てを、動画再生装置の前面に折りたたんで写真立て単体として使用するときは、横置き、縦置き両方が可能なため、プリントは横長、縦長両方の状態に対応する。この場合は、写真立てがそのまま動画再生装置の保護カバーとしても機能する。
動画再生のみを集中して見るときは、両面写真立てを動画再生装置の後面に折りたたんだ状態にすれば、従来の動画再生装置単体と同じように使用できる。
動画再生装置は、音声機能を省くことで、写真立てを複数設置する従来の使い方に倣って、同時に複数の設置・稼動が可能である。このため、従来に比べ格段に動画再生のチャンスが拡大される。これは、いわゆる動画再生のＢＧＭ的な使用である。
【図面の簡単な説明】
【０００７】
【図１】  本発明の開いた状態の斜視図
【図２】  本発明の写真立てを前面に折りたたんだ横置き状態の斜視図
【図３】  本発明の写真立てを前面に折りたたんだ縦置き状態の斜視図
【図４】  本発明の写真立てを後面に折りたたんだ状態の斜視図
【符号の説明】
【０００８】    １  動画再生装置
２  両面写真立て
【図１】
2008072678.tif 000003
【図２】
2008072678.tif 000004
【図３】
2008072678.tif 000005
【図４】
2008072678.tif 000006
(57)【要約】【課題】会議などで迷惑な携帯電話を、発信装置から微弱電波を発信させて圏外にするものであり、周囲の音を感知して自動的に作動するようにした携帯電話自動規制機を提供する。【解決手段】音センサ６で周囲の音を感知し、その信号を制御装置４でドライブ装置５を介して発信装置３を起動させ、発信装置３から微弱電波２を発信させて携帯電話１を圏外にし送受信ができないようにすることを特徴とする携帯電話自動規制機である。【選択図】図１
2008072679.tif 000002
【特許請求の範囲】
【請求項１】
周囲の音を検知する音センサを有し、音センサからの信号を制御装置で制御しドライブ装置を介して起動する発信装置を有し、携帯電話を圏外にして送受信ができないようにする微弱電波を発信する発信装置を設けことを特徴とする携帯電話自動規制機。
【発明の詳細な説明】
【技術分野】
【０００１】  本発明は、会議などで迷惑な携帯電話を発信装置から微弱電波を発信させて圏外にするものであり、周囲の音を感知して自動的に作動するようにした携帯電話自動規制機に関するものである。
【背景技術】
【０００２】  従来、携帯電話を圏外にする発信機は、人が発信機の起動スイッチを入れたり切ったりの操作をして使用するものであった。【０００３】
【特許文献１】  特許出願平１０−３７５１８９号
【発明の開示】
【発明が解決しようとする課題】
【０００４】  そのために、次のような問題点があった。
（イ）発信機の起動スイッチを切り忘れ、入れたままで長時間稼動させると故障してし        まう。
（ロ）発信機の起動スイッチを入れ忘れ、作動せずに迷惑な携帯電話を規制できないこ        とがあった。
本発明は、これらの問題点を解決するためになされたものである。
【課題を解決するための手段】
【０００５】  本発明は、音センサ６で周囲の音を感知し、その信号を制御装置４でドライブ装置５を介して発信装置３を起動させ、発信装置３から微弱電波２を発信させて携帯電話１を圏外にし送受信ができないようにする。以上を特徴とする携帯電話自動規制機である。
【発明の効果】
【０００６】  発信機を人が操作する必要が無く、無人での自動運転ができる。【０００７】  また、音センサで周囲の音や話し声を感知したら発信機を作動させるので、発信機の起動スイッチを切り忘れて長時間稼動させることもなくなり、発信機の故障も解消され、寿命を長くすることができる。また、電気代の節約ができ省エネになる。
【発明を実施するための最良の形態】
【０００８】  以下、本発明の実施形態について説明する。
（イ）周囲の音や話し声を感知する音センサ６を設ける。
（ロ）音センサ６が音を検知したら、制御装置４内のドライブ装置５に信号を送る。
（ハ）制御装置４でドライブ装置５を介して、発信装置３を作動させる。
（ニ）発信装置３から微弱電波２を発信して携帯電話１を圏外にする。【０００９】  本発明は、以上のような構成でこれを使用するときは、周囲の音や話し声を感知する音センサ６で音を検知したら制御装置４内のドライブ装置５に信号を送る。【００１０】  音センサ６からの信号を入力したら、制御装置４でドライブ装置５を介して、一定時間発信装置３を作動させるようにする。【００１１】  その設定時間が経過したら発信装置３を不作動にし、再度音センサ６からの信号を待つ。【００１２】  ドライブ装置５からの信号で発信装置３が作動し、携帯電話１で使用されている周波数帯を妨害する微弱電波２を発信して携帯電話１を圏外に規制して送受信ができないようにする。【００１３】  妨害する微弱電波２は、携帯電話１で使用されている８００ＭＨｚ帯と１５００ＭＨｚ帯と１９００ＭＨｚ帯と２１００ＭＨｚ帯とする。
【実施例】
【００１４】  図２に示すように、会議室で使用した場合のものである。
【図面の簡単な説明】
【００１５】
【図１】本発明の構成ブロック図
【図２】本発明の実施例
【符号の説明】
【００１６】    １  携帯電話
２  微弱電波
３  発信装置
４  制御装置
５  ドライブ装置
６  音センサ
７  自動規制機
８  会議室
９  音
１０  コンセント
【図１】
2008072679.tif 000003
【図２】
2008072679.tif 000004
(57)【要約】【課題】従来は携帯電話と鏡は、別々のものだった。したがって鏡が、必要な時は、鏡を出して他の人に気遣いながら見なければならなかった。それを一つにしてメールをしている様子で、顔が見られる携帯電話を、提供する。【解決手段】携帯電話の裏面の少しへこませたところに鏡をはめ込んだことを、特徴とする。【選択図】図１
2008072680.tif 000002
【特許請求の範囲】
【請求項１】
携帯電話の裏の面に鏡を付けた携帯電話
【発明の詳細な説明】
【技術分野】
【０００１】この発明は、携帯電話の裏の面に鏡をはめ込んだ携帯電話に関するものである。
【背景技術】
【０００２】従来携帯電話と鏡は別々になっていた。
【発明の開示】
【発明が解決しようとする課題】
【０００３】これは次のような問題点があった。
鏡が必要な時に、わざわざ鏡を出さなくてはならない事  顔を見ている事に他の人に気づかれるので  人前では鏡を出して見るのは  見にくかった。
本発明は以上のような欠点をなくす為になされたものである。
【課題を解決するための手段】
【０００４】携帯電話の裏の面に鏡を、はめ込む。
以上の構成よりなる鏡を付けた携帯電話である。
【発明の効果】
【０００５】携帯電話と鏡が一体になっているので、鏡が必要となった場合でも、わざわざ鏡を出さなくても、身近にあってすぐ出せる携帯電話で、メールをしているふりをしながら誰にも気づかれず気楽に鏡を見る事ができる。
鏡でも  少しへこんだ所にはめ込む為、使っても傷は付きにくい。
【発明を実施するための最良の形態】
【０００６】以下本発明に実施例について説明する。
携帯電話（１）の裏面に鏡を（２）をはめ込む
本発明は以上のような構造でこれを使用するときは、携帯電話と一体になったこの鏡付携帯電話でメールをしているふりをして  顔を見れば良い。【０００７】
【図１】
本発明の斜視図である。
【０００８】  １      携帯電話
２      鏡
３      携帯電話画面
【図１】
2008072680.tif 000003
(57)【要約】      （修正有）【課題】竹材より炭化さらに結晶化を進めグラファイト更に加熱しダイヤモンドに近いカーボンを焼成し鋼製ブレードをしのぐことができるバーボンブレードの焼成方法の提供。【解決手段】四年生以上の竹材を採取し、焼成後を見越しした形状に切削加工し、曲がり割れ反りを防ぐ為に素早く遠心分離機で水分を抜き、焼成炉最上部より挿入し焼成炉を下降するに従い炭化、更に加熱し結晶化を進めダイヤモンドに近ける。焼成炉の構造焼成炉低部で水素と酸素を噴射し燃焼させ２０００度以上の高熱を発生させ加熱しダイヤモンドへ近ずけるために結晶化を進ませる。焼成炉の構造燃焼部で燃焼した水蒸気垂直に排気しその余熱で炭化結晶化を進めるために排気管両サイドに竹材焼成用溝を彫り最上部より下降するに従い結晶化に情況に応じ溝を狭め順次製品を取り出して行く。竹材挿入時結晶化室の圧力を保つため圧力調整室を最上部に設ける。【選択図】なし【特許請求の範囲】
【請求項１】
００１  四年生以上の熟成した竹材を焼成後の収縮を予想し切削加工する００２  竹材の割れ反りを避けるけるため素早く遠心分離機で水分をゼロに近ける００３  竹材を焼成炉最上部より挿入し下降するの従い炭化結晶化を進めて行く００４  焼成炉燃焼部にバイオマス分解水素の燃焼をさせ３０００度近辺の温度を確保する００５  焼成溝は最上部より下降するに従い狭くして行き流れを整える００６  焼成炉最上部に焼成炉の圧力を保持するために圧力調整室を設ける００７  排気管は垂直に立て両サイドに溝を彫り溝内を竹材を通過させ炭化焼成する００８  竹材より揮発したガスは焼成炉最下部より抜き燃焼室へ供給し熱源とし水素を利用する００９  バイオマスガス分解水素装置より排気されるガスと水蒸気を混合しタービンを回し発電し電気で水を分解酸素を燃焼室へ供給し加熱のための酸素源とする０１０  焼成炉全体をステンレスで囲い間に熱の逃げにくい乾いた土充填し保温を図る０１１  焼成炉は耐熱性体腐食性が確保できるセラミックス製とする
【発明の詳細な説明】
【利用分野】
髭剃り用ブレード
【解決しようとする課題】
鋼製ブレードを超えるブレードを竹材より炭化さらに結晶化を進めグラファイト更に加熱しダイヤモンドに近いカーボンを焼成し鋼製ブレードをしのぐ物を造ること
【課題を解決する手段】
まず竹林より四年生以上の竹材を採取し工場に運び焼成後を見越しした形状に切削加工し曲がり割れ反りを防ぐ為に素早く遠心分離機で水分を抜き焼成炉最上部より挿入し焼成炉を下降するに従い炭化更に加熱し結晶化を進めダイヤモンドに近ける焼成炉の構造焼成炉低部でバイオマス水素ガス化装置で得た水素をタービン発電機で発電した電気で分解した酸素を噴射し燃焼させ２０００度以上の高熱を発生させ加熱しダイヤモンドへ近ずけるために燃焼ガスを垂直に排気し上部から燃焼部まで下降する工程で結晶化を進ませる焼成炉の構造燃焼部で燃焼した水蒸気垂直に排気しその余熱で炭化結晶化を進めるために排気管両サイドに竹材焼成用溝を彫り最上部より下降するに従い結晶化に情況に応じ溝を狭め順次製品を取り出して行く  竹材挿入時結晶化室の圧力を保つため圧力調整室を最上部に設ける竹材炭化結晶化時のガスは合成炉最下部より適時抜き燃焼室で開放し熱源として利用する
【発明の効果】
竹材より鋼製を凌ぐブレ−ドが焼成されストレスから開放さる
(57)【要約】 【課題】  硬貨などの小物を簡単な方法で携行するについて、特に携行用のバンドなどを作成せずに、従来から腕に装着しているリストバンドを使用し、小物の出し入れが容易なものを製作し易い方法で提供する。【解決手段】  伸縮性の編織布からなる二重円筒状のリストバンド本体の表面に、リストバンド本体とは別体にほぼ四角形に作成した四角形の二つの対辺部をリストバンド本体に縫着するとともに、ポケットの裏面をリストバンド本体の表面に接着することにより、ポケットをリストバンド本体に取り付ける。ポケットの開口部に開口部の開閉手段としてフラップ等を設ける。なお、接着には熱溶融型接着剤を用いる。【選択図】  図１
2008115482.tif 000002
【特許請求の範囲】
【請求項１】
伸縮性の編織布からなる二重円筒状のリストバンド本体の表面に下記（イ）および（ロ）からなるポケットを設けたことを特徴とするリストバンド。
（イ）ポケットは、リストバンド本体とは別体にほぼ四角形に作成し、四角形の二つの対辺部をリストバンド本体に縫着するとともに、ポケットの裏面をリストバンド本体の表面に接着することにより、ポケットをリストバンド本体に取り付ける。
（ロ）ポケットの開口部に開口部の開閉手段を設ける。    
【請求項２】
ポケットとリストバンド本体との接着が熱溶融型接着剤によるものである請求項１記載のリストバンド。
【請求項３】
ポケット開口部の開閉手段がフラップである請求項１および２記載のリストバンド。
【発明の詳細な説明】
【技術分野】
【０００１】
スポーツや戸外作業などの際に手首に装着するリストバンドに関する。
【背景技術】
【０００２】
戸外でスポーツや海水浴をしたり、作業などをするとき、硬貨やキーなどの小物を収容する場所が必要とされることが多い。上着やズボンのポケットがあるが、その他に、収納部を設けて小物を入れたバンドを手首に巻いて携帯することが提案されている（例えば、特許文献１，２）。吸水性の良い編織布を用いるとタオルの携帯に代わり、汗取り用のリストバンドになる（例えば、特許文献３）。
【特許文献１】実開平６−２６５３４号公報
【特許文献２】特開平１０−３３２３７号公報
【特許文献３】特開２０００−１７００１６号公報
【発明の開示】
【発明が解決しようとする課題】
【０００３】
硬貨などの小物を簡単な方法で携行するについて、特に携行用のバンドなどを作成せずに、従来から腕に装着しているリストバンドを使用し、小物の出し入れが容易なものを提供すること並びに容易な方法で製作することを課題とする。
【課題を解決するための手段】
【０００４】
本発明は、伸縮性の編織布からなる二重円筒状のリストバンド本体の表面に下記（イ）および（ロ）からなるポケットを設けたリストバンドである。
（イ）ポケットは、リストバンド本体とは別体にほぼ四角形に作成し、四角形の二つの対辺部をリストバンド本体に縫着するとともに、ポケットの裏面をリストバンド本体の表面に接着することにより、ポケットをリストバンド本体に取り付ける。
（ロ）ポケットの開口部に開口部の開閉手段を設ける。
上記のリストバンドにおいて、ポケットとリストバンド本体との接着が熱溶融型接着剤によるもの、及び／または、ポケット開口部の開閉手段がフラップであるリストバンドである。
本発明でリストバンドの「表面」とは、二重円筒状のリストバンドの外表面または内表面、すなわち、外筒の表面、または、内筒の表面（腕側）を云う。
【発明の効果】
【０００５】
リストバンドの外面にポケットを設けたので、小物などを手軽に収納できる。リストバンドが伸縮性の編織布からなるので、腕への着脱が容易である。リストバンド本体は二重円筒状に形成されているため、リストバンドの内筒と外筒をひっくり返して逆にすれば、内筒と外筒は容易に位置関係が逆転する。一般には、外筒表面に熱溶融型接着剤でポケットを融着したとき、融着部分の伸縮性が若干損なわれても内筒の伸縮性には影響がないので、リストバンドを腕に装着した感覚に悪影響を与えない。また、激しい動きに曝されてポケットの開口部から内容物が飛び出る不安を解消するために、リストバンドの内筒と外筒をひっくり返して逆にし、ポケットを腕に接するようにしてリストバンドを装着する場合は、内筒表面にポケットが融着された形となり、内筒の融着部分の伸縮性が若干損なわれても外筒の表面状態には影響がないので、リストバンド装着時の外観を損なうことが無い。
【０００６】
ポケットをリストバンド本体と別体に製作し、二箇所の縫着で両者を固定した後、最終的には、ポケット裏面とリストバンド表面を接着によって固定する方法によって、製作が容易に行われる。
【発明を実施するための最良の形態】
【０００７】
屋外でスポーツや作業などをしている際に、タオル代わりに汗を拭いたりするために従来から伸縮性編織布のリストバンドが用いられている。本発明はこのリストバンドの表面にポケットを取り付けて硬貨などを携行する機能を付加するものである。以下、図面によって実施例を説明する。なお、以下、「本体」とは「リストバンド本体」の略称である。
【実施例】
【０００８】
図１は、伸縮性の二重円筒状リストバンド本体１の外表面にほぼ四角形のポケット２を有するリストバンドの外観図である。ポケット２の開口部３は円筒の周方向に設けられ、開口部３には開閉手段としてフラップ４を設ける。図２は、図１のＡ−Ａ断面図である。本体１は、伸縮性編織布で外筒１１と内筒１２の二重円筒状に形成され、外筒１１と内筒１２の両端縁では接合して一体化している。ポケット２を別体に縫製し、ポケット２の開口部３ではポケット裏布６を開口部３に沿って本体１に縫い付け、ポケット２の底部５ではポケット２の上から底部に沿って本体１に縫い付ける。ポケット２の本体１への縫着は、外筒１１への縫い付けをベストとするが、外筒と内筒とを一緒にして縫い付けても構わない。開口部３と底部５の二箇所の縫い付け部分の間で、ポケット裏布６と外筒１１表面との間に板状の熱溶融型接着剤７を挟み、加熱圧着してポケット２を本体１表面に接着、固定する。ポケット２の開口部３には、開口部３を覆う形状のフラップ４を取り付け、フラップ４の裏面とポケット２の表面を面ファスナを介して開閉自在に固定する（図示せず）。フラップ４とポケット２表面は、ボタンやホックその他の手段によって開閉自在に固定しても良い。
【０００９】
ポケット２の本体１への二箇所の縫着は、開口部３と底部５に替えて、本体１円筒の軸方向であるポケット２の両側縁端を縫着してもよい。また、ポケット２の開口部３の開閉手段としては、フラップに替えてファスナーその他の既知の方法が利用できる。
【図面の簡単な説明】
【００１０】
【図１】実施例の外観図である。
【図２】図１のＡ−Ａ断面図である。
【符号の説明】
【００１１】
１    リストバンド本体
２    ポケット
３    開口部
４    フラップ
５    底部
６    ポケット裏布
７    熱溶融型接着剤
１１    外筒
１２    内筒
【図１】
2008115482.tif 000003
【図２】
2008115482.tif 000004
(57)【要約】【課題】壁面の縦樋を足掛りに上階へ登る侵入者を未然に防止しうる縦樋において、加重が掛かった時に縦樋が落下する機構を備えた、継ぎ樋、可動縦樋、を固定する止め金具、を用い、落下した可動縦樋を収納する収納樋を特徴とする用具を取り付け簡単、繰り返し利用が出来る用具を提供する。【解決手段】壁面の縦樋を上部で切断し、縦樋上部５、可動縦樋４、と分割りする。継ぎ樋１を用い、縦樋上部５に継ぎ樋１を挿入し接着固定する。地表に収納樋６を設置する。可動縦樋４を収納樋６に挿入して可動縦樋４の上部を継ぎ樋１に挿入し、止め金具穴２を２ヵ所に合わせ止め金具３を挿入固定する。侵入者が可動縦樋４を足掛りに上階へ登ると侵入者の加重により止め金具３が可動縦樋４に並行に可動し滑り易くなり可動縦樋４が収納樋６に落下する。継ぎ樋１と収納樋入６との間に空間ができ上階よりの侵入を未然に防止する。【選択図】  図１
2008115664.tif 000002
【特許請求の範囲】
【請求項１】
樋を登って家屋に侵入されることを未然に防ぐための縦樋において、加重が掛かった時に縦樋が落下する機構を備えた継ぎ樋と、可動縦樋を仮固定する係止手段と落下した可動縦樋を収納する収納樋を備えたことを特徴とする防犯用縦樋。
【発明の詳細な説明】
【技術分野】
【０００１】
本発明は、壁面固定の縦樋を登って家屋に侵入することを未然に防ぐための縦樋に関する。
【背景技術】
【０００２】
従来の縦樋は住宅の外壁周りに設けられており、電信柱などを利用して縦樋によじ登
り、２階へ侵入されることが多い。そのために、下記の特許文献にあげた出願を始め樋回りで防犯のための発明や考案が数多く出願されている。
【特許文献１】特開２００５−２１５７９８
【特許文献２】特開２００５−２６７１５４
【発明の開示】
【発明が解決しようとする課題】
【０００３】
特許文献１は、樋を登ろうとすると縦樋固定部材に加わった圧力を検知して，警報を発する装置に関するものであり、装置の取り付けが複雑で電源や配線が必要であるが、警報が事前に止められたりすると賊が縦樋を登ることは防げない。  特許文献２は、縦樋をＵ形のカバーで覆って足掛りをなくす用具であるが、カバーを外壁にボルトで固定する構造であり、数本のボルトを外すことにより簡単に縦樋がむき出しになり、防犯には役立たない。
本発明は、上記問題点を解決し、絶対に登ることができなく、繰り返し使用ができる縦樋の防犯機構を開発することを課題とする。
【課題を解決するための手段】
【０００４】
上記課題を解決するために、本発明の防犯用縦樋は、継ぎ樋、可動縦樋を仮固定する係止手段と、落下した可動縦樋を収納する収納樋を備えたことを特徴とする。
【発明の効果】
【０００５】
本発明の防犯用縦樋は侵入者が縦樋を足掛りに上階に登ろうとすると、縦樋に侵入者が手や足を掛けた重さが加わった縦樋の一部が落下する構造なので、侵入者の足掛りを無くすことで、上階に登ることを未然に防止することができる。
【発明を実施するための最良の形態】
【０００６】
本発明の防犯用縦樋の実施の一例をもとに実施の形態を図面を参照しつつ、以下詳細に説明する。
【実施例】
【０００７】
本発明の防犯用縦樋の実施の一例を図１に示したが、本発明の防犯用縦樋の実施の一例では係止手段として、止め金具穴２を２個設けた継ぎ樋１、と荷重が掛かると落下する可動縦樋４を仮止めするための止め金具３と止め金具３を通すための止め金具穴２を２個設けた可動縦樋４と収納樋６で構成した。
【０００８】
本発明の防犯用縦樋の部材は塩化ビニール製のパイプを使用したが、実施の一例では可動縦樋４は外径５５ｍｍ、内径５３ｍｍの規格パイプを約１３５０ｍｍの長さに切断した。
収納樋６は、外径６０ｍｍ、内径５８ｍｍ、の規格パイプを約１３００ｍｍの長さに切断した。
【０００９】
継ぎ樋１は、可動縦樋４がスムーズに落ちるためには、外径５８ｍｍで内径５６ｍｍのパイプが必要になるが、市販品にはそのサイズのパイプは無いので、収納樋６と同じ規格の縦樋を用い、約２００ｍｍの長さに切断してから、縦方向に約２ｍｍの幅を切断切除し切除個所を接着固定して、外径５８ｍｍで内径５６ｍｍのパイプに加工した。
【００１０】
さらに、継ぎ樋１の下端から約５０ｍｍ上の位置で対面する２ヵ所に幅約５ｍｍで高さ
約２ｍｍの穴止め金具穴２を設けた。  また、可動縦樋４は上端から約５０ｍｍの位置で対面する２ヵ所に幅約５ｍｍで高さ約２ｍｍの止め金具穴２を設けた。止め金具はステンレス製の幅３ｍｍ、高さ１ｍｍの棒材を長さ約３５ｍｍに切断して、３０度の角度のＶ字形に加工した止め金具を２個製作した。
【００１１】
収納樋６は、外径６０ｍｍ、内径５８ｍｍ、の規格のパイプを約１３００ｍｍの長さに切断した。可動縦樋４の長さ約１３５０ｍｍが可動し落下した時に収納樋６より約５０ｍｍと長いのは可動縦樋４を簡単に取りやすくする為である。
【００１２】
以下具体的にその施工法を説明すると、壁面固定の縦樋を地表より上部を約２６００ｍｍの長さで切断して縦樋上部５、と可動縦樋４に分割する。約１００ｍｍの縦樋上部５に約１００ｍｍの継ぎ樋１を挿入し接着固定する。長さ約１３５０ｍｍの可動縦樋４を収納樋６に挿入してから可動縦樋４の上部を継ぎ樋１に約１００ｍｍ挿入して２ヵ所の止め金具穴２を合わせて、止め金具３を２個挿入して継ぎ樋１と可動縦樋４を仮固定する。可動縦樋４が収納樋６から外れないようにするために、可動縦樋４を収納樋６に約５０ｍｍ挿入する。
【００１３】
上記の構成により壁面に固定した縦樋を足掛りに上階に登る侵入者が可動縦樋４に手や足を掛けるとその加重により、止め金具３が可動縦樋４に並行になることにより可動縦樋４、が滑りやすくなり落下する。そのため継ぎ樋１と、収納樋６との間に約１１５０ｍｍの空間ができ、侵入者の足掛を無くすことができるので上階より家屋への侵入を未然に防止が出来る。なお、可動縦樋４を仮固定する係止手段は実施例で説明した方法に拘ることなく、特別な荷重が掛からない時に可動縦樋４が自然落下しない程度に固定できる構造であればよい。
【図面の簡単な説明】
【００１４】
【図１】実施例の説明のための１部断面
【符号の説明】
【００１５】
継ぎ樋
止め金具穴
止め金具
可動縦樋
縦樋上部
収納樋
【図１】
2008115664.tif 000003
(57)【要約】      （修正有）【課題】融雪機の融雪能率の向上に関する。【解決手段】水槽にボイラー１とかきまぜる羽を設けた融雪用水槽において、前記融雪用水層に熱湯が吸い出す口２と雪がとけて冷えた水が戻る口３を開口し、前記冷えた水が戻る口３から前記ボイラー１を経由して前記熱湯が吸い出す口２に至る送水管路を設ける。前記ボイラー１で熱した湯によってジェットバスのような水の流れを起こすことができるため、その流れに雪を入れることで、融雪能率を高めることができる。【選択図】図１
2008115680.tif 000002
【特許請求の範囲】
【請求項１】
融雪機の水槽にボイラーで温めた、お湯に水流を起し、大量の雪を早くとかす方法です
又かきまぜても、とくとけます。
【発明の詳細な説明】
【発明の詳細な説明】
従来の融雪機は、温めるだけでしたので定量の雪を入れますと、とかしきれず、持っていなければなりません。
私の発明は、ジェットバスのような装置を作りボイラーで熱した、お湯に水流を起し、その中に雪を入れとかす方法です。
又、水流を起すかわりに、かきまぜても良くとけます。
【図面の簡単な説明】
【図１】本発明の上部と側面の図です。
【図２】攪拌式の上部と側面の図です
【符号の説明】
▲１▼ボイラー  ▲２▼熱湯が吸き出す口  ▲３▼雪がとけて冷えた水が戻る口
▲４▼モーター  ▲５▼かきませる羽  ▲６▼バーナー
【図１】
2008115680.tif 000003
【図２】
2008115680.tif 000004
(57)【要約】【目的】水洗トイレで排泄時流していた実際の水の代わりに偽装音を発生させる。これによって無駄な水を流すことなく節水できる。【構成】便座（外付け、携帯型の場合は装置本体）についた偽装音を出すボタン（１）を押すと流水音が流れる。音量ボタン（２）で音の大小を調節できる。種類ボタン（３）で流水音以外の音を選択できる。【選択図】図１
2008115673.tif 000002
【特許請求の範囲】
【請求項１】
水洗トイレで用を足す時、実際に水を流す替わりに水を流す音を発生させる装置で便座内臓型と外付け型、携帯型がある。
【発明の詳細な説明】
【発明の詳細な説明】
本発明は、水洗トイレで用を足す時、排泄時の音を気にして水を流しながら用をする人が多い。このため、必要以上に水を消費してしまう。この装置は、実際に水を流す代わりに偽装音（流水音）を発生させる装置である。本装置によって偽装音を発生させることで何回も水を流す必要がなくなり節水効果が期待される。
本装置は、便座に内臓するタイプ（図１）と外付けするタイプ（図２）がある。外付けするタイプは持ち運び可能な携帯型もある。
本装置の仕組みは至って簡単である。便座内臓型（図１）は便座に付いているボタン１を押すと偽装音が一定時間の間、便座内のスピーカー２から発生する仕組みである。偽装音は装置に予め内臓しておく。
装置には偽装音の音量を調節できるボタン３もついている。
本装置は、複数の偽装音を内臓しておくことによって色々な偽装音を発生させることも可能である。ボタン４を押すと、登録されている音の種類が液晶ディスプレイ５に表示されるようになっている。例として、通常の流水音や滝の流れる音などを登録しておく。ボタン４を順次押すと液晶ディスプレイ５に「流水音」、「滝の音」が表示される。
さらに、外付けタイプは装置が単体であり壁に取り付けることができる。（図２）携帯型は持ち運べるタイプでバッグの中にはいるような小型の装置である（電源は電池等）。いずれの装置も仕組みは便座内臓型と同じである。
【図面の簡単な説明】
【図１】「偽装音発生装置が便座に内臓されている場合の図である」
【図２】「偽装音発生装置が外付け、もしくは携帯型の場合の図である」
【符号の説明】
１  偽装音を発生させるボタン
２  スピーカー
３  音量調節ボタン
４  音の種類を選択するボタン
５  液晶ディスプレイ
【図１】
2008115673.tif 000003
【図２】
2008115673.tif 000004
(57)【要約】      （修正有）【課題】一般に言う標識用具のコーンの接続を標識用ロープや紐及び鎖（チェーン）を使用する場合、コーン頂頭部に絡ませたり結んだり、専用のコーンロープやコーンチェーン等を使用しているのが現状である。そこで本発明は作業性及び安全性の良い標識用具を提供する。【解決手段】長い成りの標識用ロープや紐1及び鎖（チェーン）2の途中を輪にして、コーン3頂頭部に簡単に取り付け使用出来るようにした。又、ロープ1等を収納する機能を持つコーンと併用し、ロープ1やチェーン2等を長いまま簡単に収納出来るようにした。【選択図】図２
2008115677.tif 000002
【特許請求の範囲】
【請求項１】
標識の用に使用するロープや紐及び鎖（チェーン）の途中に輪を設けたことを特徴とする保安標識用具
【発明の詳細な説明】
【技術分野】
【０００１】  この発明は一般に言う保安標識の用に使用するロープや紐及び鎖（チェーン）において、その形状及び仕様に関する。
【背景技術】
【０００２】  従来、一般に言う標識用具のカラーコーンの接続は通称コーンバーやコーンロープ・コーンチェーンを使用し接続している。又、長い成りのロープや紐及び鎖（チェーン）を使用する場合、カラーコーン頂頭部に絡ませたり結んだりし、使用しているのが現状である。
【発明の開示】
【発明が解決しようとする課題】
【０００３】  しかしながら、以上の技術によれば、標識用ロープや紐及び鎖（チェーン）を使用した場合、単に絡ませたりしておくだけでは簡単に外れたり、ずれたりしてしまい保安用具の要点を満たしていない、又専用の通称コーンバーやコーンロープ・コーンチェーンではその設置間隔が制限されているのが現状である。そこでこの発明は、作業性及び安全性の良い標識用具を提供することを課題とする。
【課題を解決するための手段】
【０００４】  以上の課題を解決するために、本発明は、標識用ロープや紐及び鎖（チェーン）の途中を輪にして、カラーコーン頂頭部に簡単に取り付け使用出来ることを特徴とする。
【発明の効果】
【０００５】  本発明のロープや紐及び鎖（チェーン）使用した場合、通称コーンバーや、コーンロープ・コーンチェーンを取付け接続し使用した場合と比べ
▲１▼カラーコーンの設置間隔、配置が自由にできる。
▲２▼棒状でなく、ロープ状のため軽いので作業が簡単で、しかも長い成りで使用出来るので長距離の設置が容易である。
▲３▼ロープや紐及び鎖（チェーン）その物に輪を作り使用するので、他の部品を必要とせず安価で経済的である。
【発明を実施するための最良の形態】
【０００６】  この発明の添付図面に従って一実施例を説明する。
図１は、カラーコーン３に長い成りのロープや紐１及び鎖（チェーン）２で接続し使用している状態を示す。
図２は、カラーコーン３の頂頭部に標識用ロープや紐１及び鎖（チェーン）２の輪にした部分で接続した状態を示す。
図３は、標識用ロープや紐１及び鎖（チェーン）２の輪にした部分をカラーコーン３と接続せずに使用した状態を示す。
【図面の簡単な説明】
【０００７】
【図１】本発明の実施例を示す斜視図である。
【図２】［図３］本発明の実施例の詳細を示す斜視図である。
【符号の説明】
【０００８】１  標識用ロープや紐
２  標識用鎖（チェーン）
３  カラーコーン
【図１】
2008115677.tif 000003
【図２】
2008115677.tif 000004
【図３】
2008115677.tif 000005
【手続補正書】
【提出日】平成19年2月13日(2007.2.13)
【手続補正１】
【補正対象書類名】明細書
【補正対象項目名】０００７
【補正方法】変更
【補正の内容】
【０００７】
【図１】本発明の標識用ロープや紐及び鎖（チェーン）をカラーコーンに接続して使用している実施例を示す形態図である。
【図２】本発明の輪にした部分をカラーコーン頂頭部に接続した状態示す斜視図である。
【図３】本発明の輪にした部分をカラーコーンに接続せず実施した状態を示す斜視図である。
(57)【要約】【課題】  便座を上げる、下げる、という動作だけで、男性用女性用を区別された洋式便器を、使用する場合、女性は、特に問題はないが、男性が立って放尿する場合、うまく便器に放尿したとしても、子供や背の低い人は、放尿時の便器との落差が少ないため、あまり問題にならないが、大人や背の高い人は、放尿部位が、おのずと高くなるため、いくら注意して放尿したとしても尿の飛び散りを防ぐことはできず、知らず知らずのうちに便器や、その周りを汚していた、そのため男性も座って放尿を済ませる人も多かった。【解決手段】  開閉の自在な踏み度部分３と、装置の落差調節部６と、洋式便器取り付け部分２からなる装置に、洋式便器１を取り付け、男性の放尿部位８と洋式便器１の落差を少なくすることにより、尿の飛び散りを防ぎ、立って放尿をしやすくなる。【選択図】図４
2008115674.tif 000002
【特許請求の範囲】
【請求項１】
開閉の自在な踏み所により、床との落差を調節できる装置に洋式便器を取り付けることを特徴とする洋式便器取り付け装置。
【請求項２】
前記、洋式便器取り付け装置は、男性の放尿部位と便器との落差を少なくすることにより、尿の飛び散りを防ぐことを特徴とする、請求項１記載の洋式便器取り付け装置。
【請求項３】
前記、洋式便器取り付け装置は、便器取り付け部分を床と兼用し、その床との落差を調節できる踏み所の部分を床と平らに隠し取り付けることを特徴とする、洋式便器取り付け装置。
【発明の詳細な説明】
【技術分野】
【０００１】  この発明は、男性が放尿を、洋式便器で利用する場合の尿の飛び散りを防ぐ装置に関する。
【背景技術】
【０００２】  従来の、洋式便器の取り付け形状は、トイレの床に直接取り付けることが、一般的である。また、便座を上げる、下げる、という動作だけで、男性用、女性用を区別していた。
【発明の開示】
【発明が解決しようとする課題】
【０００３】  しかしながら、以上の技術によれば、女性の場合は、特に問題はないが、男性の場合、放尿を洋式便器で利用した場合、便器にうまく放尿しても、子供や背の低い人は、放尿部位と便器との落差がおのずと少ないため、あまり問題にならない。【０００４】  しかし、大人や背の高い人は、放尿部位と便器との落差が大きくなるため、いくら注意して放尿したとしても、尿の飛び散りを防ぐことはできず、便器の周りを、知らず知らず汚していた。そのため、男性も放尿を、女性のように座って済ませることが多かった。【０００５】  そこでこの発明は、開閉の自在な踏み所により、床との落差を調節できる装置に、洋式便器を取り付けることで、男性の放尿部位と便器をちかずけることにより、尿の飛び散りを防ぎ、楽に男性らしく立って放尿のできる、洋式便器取り付け装置を提供することを課題とする。
【課題を解決するための手段】
【０００６】  以上の、課題を解決するために、第一発明は、開閉の自在な踏み所により、床との落差を調節できる装置に、洋式便器を取り付けることを特徴とする、洋式便器取り付け装置である。【０００７】  また、第二発明は、男性の放尿部位と便器との落差を少なくすることにより、尿の飛び散りを防ぐことを特徴とする、洋式便器取り付け装置である。【０００８】  そして、第三発明は、便器取り付け部分を、床と兼用し、その床との落差を調節できる踏み所の部分を床と平らに隠し取り付けることを特徴とする、洋式便器取り付け装置である。
【発明の効果】
【０００９】  第一発明、または、第二発明によれば、男性の放尿位置が、開閉の自在な踏み所を開いて床の部分に立ち放尿した場合、放尿時の便器の位置が装置と床の落差の分、放尿部位にちかくなり、おのずと便器からの尿の飛び散りを防げるとともに、楽に、男性らしく立って放尿しやすくなる。【００１０】  また、第三発明によれば、高齢者のためのバリアフリーに対応するため、洋式便器取り付け部分を、床と兼用し、その床との落差を調節できる踏み所の部分を床と平らに隠し取り付けても、第一発明、第二発明の機能を失うことはない。
【発明を実施するための最良の形態】
【００１１】開閉の自在な踏み所３により、床との落差を調節できる装置２、６に洋式便器１を取り付け、図４に示す、男性の放尿部位８と、洋式便器１との落差を少なく調節することにより、尿の飛び散りを防ぐ、ただ、床にこの装置を取り付けると、床より装置部分２、６がうきでる。【００１２】  高齢者のためのバリアフリーに対応するため、洋式便器１取り付け部分２を床と兼用し、その床との落差を調節できる踏み所の部分６、３を床と平らに隠し取り付ける。【００１３】  また、装置部分２，６は、落差調節部６と、洋式便器取り付け部２としているが、プラスチックやグラスファイバー等、一体成型されたものでも、なんらその機能は、そこなはれない、むしろその方が、経済効率は良い。
【実施例】
【００１４】  この発明の一実施形態を図１に示す。洋式便器取り付け装置部分６を、床に５の固定具で固定し、その固定した装置部分２に、洋式便器１を固定する。【００１５】「実施形態の効果」
この実施形態によれば、すでに床に取り付けられた、洋式便器１であっても床と洋式便器１の間に、洋式便器取り付け装置部分６、２を固定するだけなので、取り付け工事も簡単である。【００１６】「他の実施形態」
図１の実施形態では、洋式便器取り付け部分６、２を床の上に取り付けているため、その部分６、２が床よりうきでる。他の実施形態では、高齢者のためのバリアフリーに対応するため、洋式便器取り付け部分２を、床と兼用し、その床との落差を調節できる装置部分６と、踏み所部分３を床と平らに隠し取り付ける。また、装置の落差調節部分６については、いくつかの落差の違う調節部６をよういする。
【図面の簡単な説明】
【００１７】
【図１】    この発明の一実施形態を示す斜視図である。
【図２】    この発明の平面図である。
【図３】    この発明の開閉の自在な踏み所部分を開いた状態の正面図である。
【図４】    この発明の男性が放尿時の部位を示す側面図である。
【符号の説明】
【００１８】  １  洋式便器    ２  洋式便器取り付け部分    ３  開閉の自在な踏み所部分
４  ２と３の連結具    ５  洋式便器取り付け装置固定具    ６  装置の落差調節部分
７  装置の開閉自在な踏み所部分を開いた状態の放尿部位    ８  装置の開閉自在な踏み所部分を閉じた状態の放尿部位    ９  踏み所部分開閉取っ手
【図１】
2008115674.tif 000003
【図２】
2008115674.tif 000004
【図３】
2008115674.tif 000005
【図４】
2008115674.tif 000006
(57)【要約】【課題】排気回転弁とロータ前部の隙間をなくす。【解決手段】排気回転弁４１の後端部の外側に角の方に欠けた穴を設け、穴にバネ８２で押された微出入８３を挟んだ微回転８４を入れ、微回転８４と排気回転弁４１をいっしょに微回転の両側からバネで押す。【選択図】図２
2008115844.tif 000002
【特許請求の範囲】
【請求項１】
断面円形で１部を欠いた固定芯（４２）の周囲に断面弧状の排気回転弁（４１）を設け排気回転弁（４１）の後端部の外側に断面円形の１部を欠いた穴を設け穴に微出入（８３）を設けた微回転（８４）を設ける事を特徴とした微回転シール。
【発明の詳細な説明】
【技術分野】
【０００１】本発明は、略だ円形のロータの芯が偏芯でありロータ前部と排気回転弁が同方向に等角回転して接っしながら回転すると極微の隙間が生ずるのでロータ前部を極微外側に膨らませる事によりロータ前部と微回転に挟まれた微出入が接っして隙間がなくなる。
【背景技術】
【０００２】排気回転弁の後部をゴムで覆ってシールとしていた。
【発明の開示】
【発明が解決しようとする課題】
【０００３】ロータと排気回転弁に必ず隙間が生ずるのでその隙間をなくす。
【課題を解決するための手段】
【０００４】排気回転弁の後端部の外側に角の方に欠けた穴を設け穴に微出入を挟んだ微回転を入れる．微出入は奥の方からバネで押されひっかかりを設けて外には出ない手段とし微出入を挟んだ微回転は排気回転弁の後端部の角部に設ける、微回転と排気回転弁といっしょに両側からバネで押す。
【発明の効果】
【０００５】ロータ前部と排気回転弁に隙間がなくなる。
【発明が実施するための最良の形態】
【０００６】排気回転弁の後端部の外側の角部に角の方に欠けた円状の穴を設け穴に微出入を挟んた微回転を入れ、微出入はひっかかり付きで奥の方からバネで押し、微回転と排気回転弁をいっしょに微回転の両側からバネで押し、微出入の先端は角部を有し、表面に出る微出入と微回転は排気回転弁の外側の円状の延長線上とする。
【実施例】
【０００７】微出入を微回転に入れるには微出入８３と凸部のあるプレートでバネ８２を挟んでバネを押しながら微回転の側面から微回転を入れ、後側からバネを入れてふたをして微回転を入れた先端部を排気回転弁の先端に固着する。
【産業上の利用可能性】
【０００８】真円ロータリーエンジンの排気回転弁のシール。
【図面の簡単な説明】
【０００９】
【図１】真円ロータリーエンジンの全体図
【図２】排気回転弁の詳細図
【符号の説明】
【００１０】４１              排気回転弁
４２              固定芯
８１、８２、８５  バネ
８３              微出入
８４              微回転
５４              ロータ前部
５２              プラグ
【図１】
2008115844.tif 000003
【図２】
2008115844.tif 000004